(57)【要約】【課題】瞬時停電検出回路を簡易化すること。【解決手段】商用電源を整流するダイオードブリッジ２と、前記ダイオードブリッジにより整流された電圧を平滑化するコンデンサ３と、前記コンデンサにより平滑された電圧を検出する電圧検出手段５と、前記電圧検出手段により検出された電圧を入力し、その電圧の値によって瞬時停電を判定する制御部６を備え、通常の動作時に前記電圧検出手段５により前記制御部６へ入力された電圧がある一定の値以下となったときに、瞬時停電の検出を行なうことにより、瞬時停電検出用の回路を必要としない回路構成とすることができ、部品単体の不良によるヒートポンプ制御装置の不良を低減でき、かつコストを削減することができる。【選択図】図１
2008096079.tif 000002
【特許請求の範囲】
【請求項１】
商用電源を整流するダイオードブリッジと、前記ダイオードブリッジにより整流された電圧を平滑化するコンデンサと、前記コンデンサにより平滑された電圧を検出する電圧検出手段と、前記電圧検出手段により検出された電圧を入力し、その電圧の値によって瞬時停電を判定する、あるいはヒートポンプ制御装置の各回路からの異常信号を検知する制御部を備え、通常の動作時に前記電圧検出手段により前記制御部へ入力された電圧がある一定の値以下となったときに瞬時停電の検出を行なうことを特徴とするヒートポンプ制御装置。
【請求項２】
商用電源を整流するダイオードブリッジと、前記ダイオードブリッジにより整流された電圧を平滑化するコンデンサと、前記コンデンサを充電するときに流れる突入電流を防止するための電流制限素子、商用電源ラインに直列に入れたスイッチ手段と、前記コンデンサにより平滑された電圧を検出する電圧検出手段と、前記電圧検出手段により検出された電圧を入力し、その電圧の値によって瞬時停電を判定する、あるいはヒートポンプ制御装置の各回路からの異常信号を検知する制御部を備え、前記電圧検出手段により前記コンデンサの電圧を検出することで、前記制御部が前記スイッチ手段へオン信号を出力したときに前記スイッチ手段が正常にオンしているかどうかの判別を可能とすることを特徴とするヒートポンプ制御装置。
【発明の詳細な説明】
【技術分野】
【０００１】
本発明はヒートポンプ制御装置に関するものである。
【背景技術】
【０００２】
従来、ヒートポンプ制御装置に限らずこの種の制御装置では、商用電源の瞬時停電時に停電検出用回路を用いて停電を検知している。
【０００３】
図３は特許文献１に記載された従来の制御装置を示すものである。図３に示すように、商用電源１０１と、前記商用電源１０１を整流する整流手段１０２と、整流された出力波形を成形する波形成形手段１０３と、その出力の立ち上がりを検出する立ち上がり検出手段１０４と、この立ち上がり信号信号より時間を計時する時計計時手段１０７と、立ち上がり信号の間隔を計測する信号間隔検出手段１０５と、その信号間隔により瞬時停電判定手段１０６から構成されている。
【特許文献１】特開平７−２８０３７１号公報
【発明の開示】
【発明が解決しようとする課題】
【０００４】
しかしながら、前記従来の構成では、瞬時停電検出用の電源回路を必要とするため回路部品が増大し、ヒートポンプ制御装置のコストが増加してしまうという課題を有していた。
【０００５】
本発明は、前記従来の課題を解決するもので、瞬時停電検出用の回路を必要としないため部品単体の不良によるヒートポンプ制御装置の不良を低減でき、かつコストを削減することができるヒートポンプ制御装置を提供することを目的とする。
【課題を解決するための手段】
【０００６】
前記従来の課題を解決するために、本発明のヒートポンプ制御装置は、商用電源を整流し、整流後の電圧を制御部にて検出し、整流後の電圧が一定の電圧以下となったときに瞬時停電の検出を行なう制御装置としたものである。
【０００７】
これによって、瞬時停電検出用を必要としない回路構成とすることで、部品単体の不良によるヒートポンプ制御装置の不良を低減でき、かつコストを削減することができる。
【０００８】
また、本発明のヒートポンプ制御装置は、突入電流防止用の電流制限素子やスイッチ手段を有するヒートポンプ制御装置としたとき、瞬時停電の検出と同様の検知手段を行なうことで、スイッチ手段の部品単体の故障の判別を行なう制御装置としたものである。
【０００９】
これによって、スイッチ手段の部品単体の故障判別を容易化し、部品交換に要するコストを削減することができる。
【発明の効果】
【００１０】
本発明のヒートポンプ制御装置は、瞬時停電検出用の回路を必要としない回路構成とすることで、部品単体の不良によるヒートポンプ制御装置の不良を低減でき、かつコストを削減することができる。
【００１１】
また、突入電流防止用の電流制限素子やスイッチ手段を有するヒートポンプ制御装置としたときには、スイッチ手段の部品単体の故障判別を容易化でき、部品交換に要するコス
トを削減することができる。
【発明を実施するための最良の形態】
【００１２】
第１の発明は、商用電源を整流するダイオードブリッジと、前記ダイオードブリッジにより整流された電圧を平滑化するコンデンサと、前記コンデンサにより平滑された電圧を検出する電圧検出手段と、前記電圧検出手段により検出された電圧を入力し、その電圧の値によって瞬時停電を判定する、あるいはヒートポンプ制御装置の各回路からの異常信号を検知する制御部を備え、通常の動作時に前記電圧検出手段により前記制御部へ入力された電圧がある一定の値以下となったときに、瞬時停電の検出を行なうことにより、瞬時停電検出用の回路を必要としない回路構成とすることができ、部品単体の不良によるヒートポンプ制御装置の不良を低減でき、かつコストを削減することができる。
【００１３】
第２の発明は、第１の発明のヒートポンプ制御装置を、突入電流防止用の電流制限素子とスイッチ手段を有するヒートポンプ制御装置とし、瞬時停電の検出と同様の検知手段を行なうことで、スイッチ手段の部品単体の故障判別を容易化でき、部品交換に要するコストを削減することができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態におけるヒートポンプ制御装置の回路図を示すものである。
【００１６】
図１において、商用電源１を整流するダイオードブリッジ２と、前記ダイオードブリッジ２により整流された電圧を平滑化するコンデンサ３と、前記コンデンサ３により平滑化された電圧を電源として駆動する負荷４と、前記コンデンサ３により平滑された電圧を検出する電圧検出手段５と、前記電圧検出手段５により検出された電圧を入力し、その電圧の値によって瞬時停電を判定する、あるいはヒートポンプ制御装置の各回路からの異常信号を検知する制御部６から構成されている。
【００１７】
以上のように構成されたヒートポンプ制御装置について、以下にその動作、作用を説明する。
【００１８】
商用電源１は、ダイオードブリッジ２によって整流され、はコンデンサ３によって電圧が滑化される。前記コンデンサ３により平滑された電圧は電圧手段５によって電圧の値が検出され、制御部６にその電圧の値が入力される。瞬時停電時には前記商用電源１からの電源供給が停止するため、前記コンデンサ３には電流が供給されず、前記負荷４で電力が消費されるため前記コンデンサ３の電圧が減少する。前記コンデンサ３の電圧の値は前記電圧検知手段５によって検出され前記制御部６へ入力されており、ある一定の電圧の値以下となったとき前記制御部６は瞬時停電と判断する。
【００１９】
以上のように、本実施の形態においては瞬時停電検出の手段を瞬時停電検出用の回路を必要としないヒートポンプ制御装置とすることで、部品単体の不良によるヒートポンプ制御装置の不良を低減でき、かつコストを削減することができる。
【００２０】
（実施の形態２）
図２は、本発明の第２の実施の形態におけるヒートポンプ制御装置の回路図を示すもので、図１の回路図からコンデンサ３への充電電流である突入電流を防止するための電流制限素子７と、第１および第２のスイッチ手段８、９を有するヒートポンプ制御装置とした
ものである。
【００２１】
以上のように構成されたヒートポンプ制御装置について、以下にその動作、作用を説明する。
【００２２】
実施の形態１において、前記商用電源１が供給された瞬間、前記コンデンサ３へ充電電流として突入電流が流れる。通常、それを防止するために前記電流制限素子７や前記第１および第２のスイッチ手段８．９を有する回路となっている。図２において、まず前記第１のスイッチ手段８は前記制御部６によってオンとなり、前記電流制限素子７により突入電流が制限されて前記コンデンサ３へ充電され、前記コンデンサ３へある程度充電された後、前記制御部６によって前記第２のスイッチ手段９をオンする制御となっている。ここで前記第１のスイッチ手段８が故障していた場合、前記コンデンサ３は充電されない。
【００２３】
しかし、前記制御部６からは前記第１のスイッチ手段８をオンさせる信号が出力されており、前記制御部６は前記コンデンサ３が充電されていないため発生する異常を検知することになる。ここで、前記電圧検出手段５により前記コンデンサ３の電圧を検出することで、前記制御部６が前記第１のスイッチ手段８へオン信号を出力したときに前記第１のスイッチ手段８の部品単体が正常に動作しているかの判断を可能とし、前記スイッチ手段８の故障判別を容易化でき、部品交換に要するコストを削減することができる。
【産業上の利用可能性】
【００２４】
以上のように、本発明にかかるヒートポンプ制御装置は、瞬時停電検出用の回路を必要とせず、かつスイッチ手段の部品単体の故障判別を容易化できるため、無停電電源などの瞬時停電の検出が必要な電子制御装置や、リレーの故障判断が必要なエレベーター等の用途にも適用できる。
【図面の簡単な説明】
【００２５】
【図１】本発明の実施の形態１におけるヒートポンプ制御装置の回路図
【図２】本発明の実施の形態２におけるヒートポンプ制御装置の回路図
【図３】従来のヒートポンプ制御装置の回路図
【符号の説明】
【００２６】
１  商用電源
２  ダイオードブリッジ
３  コンデンサ
４  負荷
５  電圧検出手段
６  制御部
７  電流制限素子
８  第１のスイッチ手段
９  第２のスイッチ手段
１０１  商用電源
１０２  整流手段
１０３  波形成形手段
１０４  立ち上がり検出手段
１０５  信号間隔検出手段
１０６  瞬時停電判定手段
１０７  時計計時手段
【図１】
2008096079.tif 000003
【図２】
2008096079.tif 000004
【図３】
2008096079.tif 000005